(57)【要約】【課題】外リングの内周部に内リングを嵌め込み、外リングの外周部に視認窓を設けて内リングの外周部と装飾体を視認可能とした装身具において、複雑な形状や構造による製造コストの大幅なアップすることなく製造でき、さらなる装飾効果を向上した装身具を提供する。【解決手段】外リングの内周部に、外リングの色調と異なる内リングを嵌め込み、外リングと内リングとで構成された空間部を全周または周方向の１カ所または複数箇所に設ける。空間部に、外リングおよび内リングの色調と異なる装飾体を移動および／または回転可能に収容する。空間部に対向した外リングの外周部に、前記装飾体を視認可能で装飾体が飛び出すことのないような大きさの視認窓を設ける。【選択図】図１
2009125401.tif 000002
【特許請求の範囲】
【請求項１】
外リングの内周部に、外リングの色調と異なる内リングを嵌め込み、外リングと内リングとで構成された空間部を全周または周方向の１カ所または複数箇所に設け、該空間部に、外リングおよび内リングの色調と異なる装飾体を移動および／または回転可能に収容し、前記空間部に対向した外リングの外周部に、前記装飾体を視認可能で装飾体が飛び出すことのないような大きさの視認窓を設けたことを特徴とする装身具。
【請求項２】
前記空間部を、外リングの内周部に環状溝を形成し、該環状溝に、外周部の全周または周方向の１カ所または複数箇所に収容溝を設けた内リングを嵌め込むことで、収容溝を空間部として形成してなる、請求項１に記載の装身具。
【請求項３】
前記空間部を、外リングの内周部に環状溝を形成するとともに、該環状溝の全周または周方向の１カ所または複数箇所に収容溝を設け、環状溝に内リングを嵌め込むことで、収容溝を空間部として形成してなる、請求項１に記載の装身具。
【請求項４】
外リング、内リングおよび装飾体がそれぞれ異なる貴金属からなることを特徴とする、請求項１ないし３のいずれか１項に記載の装身具。
【請求項５】
前記視認窓が、数字や、アルファベットやカタカナ等の文字を象った形状であることを特徴とする、請求項１ないし４のいずれか１項に記載の装身具。
【発明の詳細な説明】
【技術分野】
【０００１】
本発明は、外リングの内周部に、内リングを嵌め込みにより組み付けてなる指輪、腕輪等の装身具に関する。
【背景技術】
【０００２】
従来、リング状の装身具において、装飾効果を上げるために外リングと内リングで構成した装身具については良く知られている。例えば、二重指輪として内側リングの外周部に外側リングを嵌め込んだものが実開昭６４−３９０１３号公報により、装身具として外リングの内周部に内リングを嵌め込んだものが特開２００５−６５７９０号公報によって開示されている。こうした二重構造のリングは、外リングと内リングとの組み合わせによる装飾効果がある。
【０００３】
後者の装身具は、外リングの内周部に内リングを組み付け、外リングを周方向に回転可能とし、上記リングに透かし部を設け、環状に形成された上記外リングの内周面に、周方向に沿って連続した環状溝を形成、上記環状溝に幅寸法を上記環状溝より狭くした内リングを組み付けることで、上記外リングを周方向に回転可能とするものである。この装身具は、外リングと内リングとの組み合わせによる装飾効果を上げるとともに、趣味性を向上させたものである。さらに、装身具としての価値を高める手段として、内リングの外周部に宝石等を石留めしたものが開示されている。
【０００４】
本発明者は、外リングと内リングとの組み合わせた二重構造のリングにおいて、材質によるまたは宝石等を設けることによりさらなる装飾効果を上げるのではなく、外リングや内リングが貴金属で形成しなくとも、装飾効果を向上させたものが提案できないかを検討した。
【０００５】
装飾効果を単に向上させるだけならば、外リングと内リングを多種多様な素材、形状にして加飾や宝石を加えれば容易に装飾効果を上げることはできるが、製造コストを高めてしまうという問題がある。本発明者が種々検討した結果、外リングと内リングの色調の相違に加え、音を奏でることで目と耳で楽しみ、装飾効果を向上させることに着目した。
【０００６】
ところで、前記した二重リング構造における装身具の場合、外リングと内リングの色調の相違による装飾効果は得られるが、それ以外の装飾効果はなく、内リングを回転可能な構造にするものもあるが、指に嵌めたときには指で圧迫されるため、回転の効果は殆どなくなってしまう。装飾効果を上げるためには、色調の他、動き、輝き、音色の＋αの効果を加えることで装飾効果を上げることを思いつき、本発明に至った。
【特許文献１】実開昭６４−３９０１３号公報
【特許文献２】特開２００５−６５７９０号公報
【発明の開示】
【発明が解決しようとする課題】
【０００７】
本発明は、外リングの内周部に内リングを嵌め込み、外リングの外周部に視認窓を設けて内リングの外周部と装飾体を視認可能とした装身具において、複雑な形状や構造による製造コストを大幅に高騰させることなく製造でき、さらなる装飾効果を向上した装身具を提供するものである。
【課題を解決するための手段】
【０００８】
本発明は、
「１．外リングの内周部に、外リングの色調と異なる内リングを嵌め込み、外リングと内リングとで構成された空間部を全周または周方向の１カ所または複数箇所に設け、該空間部に、外リングおよび内リングの色調と異なる装飾体を移動および／または回転可能に収容し、前記空間部に対向した外リングの外周部に、前記装飾体を視認可能で装飾体が飛び出すことのないような大きさの視認窓を設けたことを特徴とする装身具。
２．前記空間部を、外リングの内周部に環状溝を形成し、該環状溝に、外周部の全周または周方向の１カ所または複数箇所に収容溝を設けた内リングを嵌め込むことで、収容溝を空間部として形成してなる、前記１項に記載の装身具。
３．前記空間部を、外リングの内周部に環状溝を形成するとともに、該環状溝の全周または周方向の１カ所または複数箇所に収容溝を設け、環状溝に内リングを嵌め込むことで、収容溝を空間部として形成してなる、前記１項に記載の装身具。
４．外リング、内リングおよび装飾体がそれぞれ異なる貴金属からなることを特徴とする、前記１項ないし３項のいずれか１項に記載の装身具。
５．前記視認窓が、数字や、アルファベットやカタカナ等の文字を象った形状であることを特徴とする、前記１項ないし４項のいずれか１項に記載の装身具。」
である。
【０００９】
本発明において、外リングや内リングの材質は特に限定されない。金、銀、プラチナ等の貴金属でも良いし、ステンレス鋼等の貴金属以外のものでも良い。また、装飾体においても、形状や材質について特に限定されず、形状は球状体でも多面体形状でも良いが、空間部を形成する外リングや内リングの内壁面を傷付けにくい形状や材質が好ましい。また装飾体を、星型形状等の突起を有する形状等にした場合は、容易に形状が壊れない材質のとする必要がある。
【００１０】
視認窓についても、形状や数等、特に限定されず、格子状に形成したものであっても良いし、例えば、周方向に延びた波形線状で幅方向に数条設けたものでも、あるいは、「ＬＯＶＥ」等の文字や数字を象ったものでも良い。
【発明の効果】
【００１１】
本発明の装身具は前記したような構造なので、外リングに設けた視認窓からのみ色調の相違した内リングと装飾体が見え、単なる３つの色調の異なった色の組み合わせによる装飾効果とは違った装飾効果が得られ、また、視認窓の形状を特異な形状とすることによりさらに装飾効果を上げることができる。またさらには、空間部に装飾体を移動および／または回転可能に収容したので、音の効果を得ることもでき、さらに、装飾体を多面体の鏡面仕上げのものとすれば、ミラーボールのように光の乱反射による光の装飾効果も得られる。装身具を構成する各部材の形状を複雑な形状にする必要もないし、また組立も複雑ではないので、従来の装身具に比べて製造コストが大幅に高くなるということもない。
【００１２】
請求項２または３に係る発明のように外リングと内リングを形成することにより、外リングの内周部に内リングを嵌め込むことにより、容易に空間部を形成することができる。
【００１３】
請求項４に係る発明のように、外リング、内リングおよび装飾体をそれぞれ異なる貴金属とすることにより、装飾効果のみならず装身具としての価値を高めることができる。
【００１４】
請求項５に係る発明のように、視認窓を数字や、アルファベットやカタカナ等の文字に象った形状とし、個人の名前や「Ｉ  ＬＯＶＥ  ＴＯＫＹＯ」等の文章の視認窓を形成することにより、若者用の装身具として、または各地のお土産用の装身具として提供することも可能となる。
【発明を実施するための最良の形態】
【００１５】
本発明の装身具は、従来知られている、外リングの内周部に内リングを嵌め込みにより取付けてなる二重リング構造において、外リングと内リングの間に空間部を形成して、該空間部に移動および／または回転可能に装飾体を収容するものである。
【実施例】
【００１６】
本実施例を図面を用いて説明する。装身具として指輪を例にあげて説明するが、これに限定されるものではない。図１は、本発明の第１の実施例の指輪で、上側半分を断面状態とした指輪の側面を示した概略図である。図２は、第１の実施例の指輪の外リング部分を示し、側面を断面にした状態を示す概略図である。図３は、第１の実施例の指輪の内リング部分の側面を示す概略図である。 図４は、本発明の第２の実施例の指輪で、上側半分を断面状態とした指輪の側面を示した概略図である。図５は、第２の実施例の指輪の外リング部分を示し、側面を断面にした状態を示す概略図である。図６は、第２の実施例の指輪の内リング部分の側面を示す概略図である。図７は、本発明の第３の実施例の指輪の側面を示す概略図である。
【００１７】
図１〜図３に示す、本発明の外リングの内周部に内リングを嵌め込みにより取付けてなる二重リング構造の第１の実施例の指輪１は、Ｐｔ９００で形成した白色の外リング２と、Ｋ１８で形成した金色の内リング３と、Ｋ１８ピンクゴールドで形成したピンク色の装飾体４とで構成してある。
【００１８】
図２に示すように、外リング２には、内周部５に環状溝６を設けてあり、該環状溝６の底部７には、周方向に等間隔に配列した１２個の外周部８に貫通した長方形状の視認窓９を設けてある。図３に示すように、内リング３は、環状溝６の幅（図２において左右方向）より若干小幅で、外リング２の内径より小径に形成してある。内リング３の外周部１０には、周方向に等間隔に配列した１２個の、周方向の長さを前記視認窓９の長さと略同等とし、内リング３の幅方向（図３において左右方向）の長さを前記視認窓９の幅方向の長さより長く形成した収容溝１１を設けてある。内リング３を外リング２の環状溝６に嵌め込んだ際に、収容溝１１が空間部１２（図１を参照）となる。
【００１９】
装飾体４は、略円柱状の形状をしており、図示していないが、側面の表面をミラーボールのような多面に形成してある。この装飾体４を、前記内リング３の各収容溝１１に２個ずつ収容し、接着剤により収容溝１１の底部１３に固定してある。
【００２０】
外リング２の環状溝６に内リング３を嵌め込むには、内リング３の外径を外リング２の最小内径より若干小径にし、内リング３の幅を外リング２の環状溝６の幅より若干狭幅にした状態で、前記各収容溝１１に装飾体４を収容した内リング３を外リング２の環状溝６に嵌め込み可能に位置合わせして、内リング３の内径および外径を、図示していないが市販されているサイズ変換機（レバー式指輪整型機）等を用いて拡張して内リング３の内径および外径を所望する大きさにする。この時点では、内リング３は外リング２の環状溝６の底部７に当接しておらず、内リング３は、回転可能な状態で外リング２の環状溝６に嵌め込まれている。
【００２１】
次に、外リング２（内リング３が環状溝６に嵌め込まれた状態）の外径および内径を、内リング３の各収容溝１１と外リング２の視認窓９を対向させた状態で、前記サイズ変換機にて縮小し、内リング３の外周部１０を外リング２の環状溝６の底部７に当接させるとともに、内リング３が外リング２の環状溝６に対して回転不能に固定する。
【００２２】
最後に、前記して製造した指輪１を、洗浄液にて洗浄し、指輪の汚れを洗浄するとともに接着剤を洗い流して、図１に示すような、外リング２と内リング３によって形成された空間部１２に収容した装飾体４が移動や回転可能な指輪を得る。
【００２３】
図４〜図６に示す、第２の実施例の指輪２１は、第１の実施例と同様に、Ｐｔ９００で形成した白色の外リング２２と、Ｋ１８で形成した金色の内リング２３と、Ｋ１８ピンクゴールドで形成したピンク色の装飾体２４とで構成してある。
【００２４】
図５に示すように、外リング２２には、内周部２５に環状溝２６と、該環状溝２６の底部２７に周方向に等間隔に配列した１２個の環状溝２６の幅（図５において左右方向）より狭幅な収納溝２８を設けてあり、該収容溝２８の底部２９には、外周部３０と収容溝２８を貫通する、収容溝２８の幅より狭幅で、周方向の長さが収容溝２８の周方向の長さと略同等の長方形状の視認窓３１を設けてある。図６に示すように、内リング２３は、環状溝２６の幅より若干小幅で、外リング２２の内径より小径に形成した単なる平打ちのリングとしてある。内リング２３を外リング２２の環状溝２６に嵌め込んだ際に、収容溝２８が空間部３２（図４を参照）となる。
【００２５】
装飾体２４は、第１の実施例の装飾体４と同様に形成してあり、図示していないが、側面の表面をミラーボールのような多面に形成してある。この装飾体２４を、前記外リング２３の各収容溝２８に２個ずつ収容し、接着剤により収容溝２８の底部２９に固定してある。
【００２６】
外リング２２の環状溝２６に内リング２３を嵌め込むには、第１の実施例と指輪１と同様に、内リング２３の外径を外リング２２の最小内径より若干小径にし、内リング２３の幅を外リング２２の環状溝２６の幅より若干狭幅にした状態で、前記各収容溝２８に装飾体２４を収容した内リング２３を外リング２２の環状溝２６に嵌め込み可能に位置合わせして、内リング２３の内径および外径を、前記したサイズ変換機（レバー式指輪整型機）等を用いて拡張して内リング２３の内径および外径を所望する大きさにする。この時点では、内リング２３は外リング２２の環状溝２６の底部２７に当接しておらず、内リング２３は、回転可能な状態で外リング２２の環状溝２６に嵌め込まれている。
【００２７】
次に、外リング２２（内リング２３が環状溝２６に嵌め込まれた状態）の外径および内径を、前記サイズ変換機にて縮小し、内リング２３の外周部３３を外リング２２の環状溝２６の底部２７に当接させるとともに、内リング２３が外リング２２の環状溝２６に対して回転不能に固定する。
【００２８】
最後に、前記して製造した指輪２１を、洗浄液にて洗浄し、指輪の汚れを洗浄するとともに接着剤を洗い流して、図４に示すような、外リング２２と内リング２３によって形成された空間部３２に収容した装飾体２４が移動や回転可能な指輪２１を得る。
【００２９】
図７は、第３の実施例を示す指輪４１で、前記した実施例１または２のようにして製造した指輪４１において、視認窓４２をアルファベットの文字に象った形状とし、「ＬＯＶＥ」という言葉にしたものである。
【産業上の利用可能性】
【００３０】
形状による装飾効果だけではなく、色調の異なる色彩の組み合わせによる装飾効果や音による効果により、複雑な形状や煩雑な製造方法にすることなく、より装飾的価値をアップすることが可能となる。
【図面の簡単な説明】
【００３１】
【図１】本発明の第１の実施例の指輪で、上側半分を断面状態とした指輪の側面を示した概略図である。
【図２】第１の実施例の指輪の外リング部分を示し、側面を断面にした状態を示す概略図である。
【図３】第１の実施例の指輪の内リング部分の側面を示す概略図である。
【図４】本発明の第２の実施例の指輪で、上側半分を断面状態とした指輪の側面を示した概略図である。
【図５】第２の実施例の指輪の外リング部分を示し、側面を断面にした状態を示す概略図である。
【図６】第２の実施例の指輪の内リング部分の側面を示す概略図である。
【図７】本発明の第３の実施例の指輪の側面を示す概略図である。
【符号の説明】
【００３２】
１、２１、４１  指輪
２、２２  外リング
３、２３  内リング
４、２４  装飾体
５、２５  外リングの内周部
８、３０  外リングの外周部
９、３１、４２  視認窓
１０、３３  内リングの外周部
１２、３２  空間部
【図１】
2009125401.tif 000003
【図２】
2009125401.tif 000004
【図３】
2009125401.tif 000005
【図４】
2009125401.tif 000006
【図５】
2009125401.tif 000007
【図６】
2009125401.tif 000008
【図７】
2009125401.tif 000009